(57)【要約】【課題】  映像の輝度情報を用いた色変換装置及び該装置を備えたディスプレイ装置、特にＰＤＰ駆動装置を提供する。【解決手段】  本発明に係る映像の輝度情報を用いた色変換装置は、入力映像の輝度別に色変換処理を行うための各種の係数情報を保存する色変換メモリと、色変換メモリから提供された入力映像の輝度に応じた係数情報に基づき、入力映像に対して色補正を行った後、補正された映像信号を出力する色変換処理部と、を含む。本発明によると、入力映像の明るさに応じた色変換を行うことで、ＰＤＰなどのように入力映像の明るさに応じて出力輝度を自動制御するディスプレイ装置に適用可能な色変換方法を提供する。また、ＰＤＰのみならず任意のディプレイ上に本発明が適用された場合、入力映像の明るさに応じて互いに異なる色変換方法、即ち画質向上方法を適用させることで、色変換の効果が大きくなる。【選択図】    図１
2007213008.tif 000002
【特許請求の範囲】
【請求項１】
入力映像の輝度別に色変換処理を行うための各種の係数情報を保存する色変換メモリと、
前記色変換メモリから提供された入力映像の輝度に応じた係数情報に基づき、前記入力映像に対して色補正を行った後、補正された映像信号を出力する色変換処理部と、を含むことを特徴とする映像の輝度情報を用いた色変換装置。
【請求項２】
請求項１に記載の映像の輝度情報を用いた色変換装置を備えるディスプレイ装置。
【請求項３】
入力映像のＡＰＣレベル別に色変換処理を行うための各種の係数情報を保存する色変換メモリと、
前記色変換メモリから提供された入力映像のＡＰＣレベルに応じた係数情報に基づき、前記入力映像に対して色補正を行った後、補正された映像信号を出力する色変換処理部と、を含むことを特徴とする映像の輝度情報を用いた色変換装置を備えるＰＤＰ駆動装置。
【請求項４】
外部から入力されたＲＧＢ映像信号を用いて負荷率を検出し、検出された負荷率に応じてＰＤＰの駆動に必要なＡＰＣレベルを決定し、決定されたＡＰＣレベルに関する情報を色変換メモリへ提供するＡＰＣレベル制御部と、
前記色変換処理部から受信した色補正された映像信号に対応するアドレスデータを生成するアドレスデータ生成部と、を更に含むことを特徴とする請求項３に記載の映像の輝度情報を用いた色変換装置を備えるＰＤＰ駆動装置。
【請求項５】
前記色変換メモリは、
ＡＰＣレベル別に色変換処理を行うための各種の係数情報をルックアップテーブルの形態に保存し、
前記色変換処理部は、
入力デジタルＲＧＢ映像信号のガンマ特性に応じて変換された線形ＲＧＢ映像信号を出力する第１のガンマ変換部と、
前記第１のガンマ変換部から入力された線形ＲＧＢ映像信号に対して所定の行列変換を行い、ＰＤＰに適合するように色変換処理された線形ＲＧＢ映像信号を生成して出力する色変換行列部と、
前記色変換メモリから提供されたＡＰＣレベル別のルックアップテーブルを用いて、前記色変換行列部から入力された線形ＲＧＢ映像信号をＰＤＰパネルのガンマ特性に応じてデジタルＲＧＢ映像信号に変換させて出力する第２のガンマ変換部と、を含むことを特徴とする請求項３に記載の映像の輝度情報を用いた色変換装置を備えるＰＤＰ駆動装置。
【請求項６】
前記色変換行列部において行列変換に用いる所定の行列は、前記ＡＰＣレベルに応じて異なることを特徴とする請求項５に記載の映像の輝度情報を用いた色変換装置を備えるＰＤＰ駆動装置。
【請求項７】
前記入力デジタルＲＧＢ映像信号は８ビットの信号であって、０から２５５の間の整数値であることを特徴とする請求項５に記載の映像の輝度情報を用いた色変換装置を備えるＰＤＰ駆動装置。
【請求項８】
前記色変換メモリは、
ガンマ特性を補正するためにルックアップテーブルの形態に保存されたＡＰＣレベルに応じた各種の係数情報及び色変換のためのＡＰＣレベルに応じた複数の行列情報を保存し、
前記色変換処理部は、
前記色変換メモリから提供された入力映像のＡＰＣレベルに応じたルックアップテーブルを用いて、入力デジタル映像信号に対してガンマ補正を行うことで、入力信号と同一のガンマ特性を有するように補正されたＰＤＰデジタル映像信号を生成・出力するガンマ補正部と、
前記色変換メモリから提供された色補正のための入力映像のＡＰＣレベルに応じた所定の行列を用いて、前記ガンマ補正部から入力された入力信号のガンマ特性を有するように補正されたＰＤＰ入力デジタル映像信号に対して色補正を行う色補正行列部と、を含むことを特徴とする請求項３に記載の映像の輝度情報を用いた色変換装置を備えるＰＤＰ駆動装置。
【請求項９】
入力映像の輝度情報を用いた色変換方法において、
前記入力映像の輝度別の色変換処理を行うための各種の係数情報を保存するステップと、
前記係数情報に基づいて前記入力映像に対して色補正を行うステップと、を含むことを特徴とする色変換方法。
【請求項１０】
ＰＤＰ駆動装置の色変換方法において、
（ａ）入力映像のＡＰＣレベル別に色変換処理を行うための各種係数情報を保存するステップと、
（ｂ）前記係数情報に基づいて前記入力映像に対して色補正を行った後、補正された映像信号を出力するステップと、を含むことを特徴とする色変換方法。
【請求項１１】
前記補正された映像信号に対応されるアドレスデータを生成するステップを更に含み、
前記（ａ）段階は、外部から入力されたＲＧＢ映像信号を用いて負荷率を検出し、検出された負荷率に応じてＰＤＰの駆動に必要なＡＰＣレベルを決定して保存することを特徴とする請求項１０に記載の色変換方法。
【請求項１２】
前記（ａ）ステップは、前記ＡＰＣレベル別に色変換処理を行うための各種係数情報をルックアップテーブルの形態に保存し、
前記（ｂ）ステップは、入力デジタルＲＧＢ映像信号のガンマ特性に応じて変換された線形ＲＧＢ映像信号を生成し、前記線形ＲＧＢ映像信号に対して所定の行列変換を行ってＰＤＰに適合するように色変換処理を行い、前記色変換処理された線形ＲＧＢ映像信号を前記ルックアップテーブルを用いて前記ＰＤＰパネルのガンマ特性に対応されるデジタルＲＧＢ映像信号に変換して出力することを特徴とする請求項１０に記載の色変換方法。
【請求項１３】
前記（ａ）ステップは、ガンマ特性を補正するためにルックアップテーブルの形態に保存されたＡＰＣレベルに応じた各種係数情報及び色変換のためのＡＰＣレベルに応じた複数の行列情報を保存し、
前記（ｂ）ステップは、前記ルックアップテーブルを用いて入力デジタル映像信号に対するガンマ補正を行い、前記複数の行列情報のうち前記入力映像のＡＰＣレベルに対応される行列を用いて、前記ガンマ補正されたデジタル映像信号に対する色補正を行うことを特徴とする請求項１０に記載の色変換方法。
【発明の詳細な説明】
【技術分野】
【０００１】
本発明は映像の輝度に応じて色変換を行う色変換装置、該装置を備えるディスプレイ装置及びプラズマディプレイパネル（以下、「ＰＤＰ」という）ＰＤＰ駆動装置とその色変換方法に関し、より詳細には、ＡＰＣ（オートパワーコントロール）機能を使って映像の輝度を自動調節するプラズマディスプレイパネルにおいて、入力映像のＡＰＣレネル又は輝度レベルに応じて色変換を行う色変換装置、該装置を備えるディスプレイ装置、ＰＤＰ駆動装置及びその色変換方法に関する。
【背景技術】
【０００２】
最近、ホームショッピングなどの電子商取引が活発になるにつれＰＣ用のモニタのみならず一般のテレビにおいても放送信号の色情報を正確に再現する必要性が増加している。一般モニタやテレビの場合、放送信号とは異なるプライマリー（ｐｒｉｍａｒｙ）及びガンマ特性を有していて、同一の入力信号であってもディスプレイ上に表れる色は放送信号が意図していることは異なる色で表れる。
【０００３】
ＣＲＴやＬＣＤモニタ上での色再現の研究は盛んに進められてきたが、最近大型ディスプレイの主流となっているＰＤＰ上での色再現及び色補正に関する研究は相対的に不足している。
【０００４】
ＰＤＰは、複数の放電セルをマトリックス状に配列してそれを選択的に発光させることで、電気信号で入力された画像データを復元させるディスプレイ素子の一種である。かかるＰＤＰは相互平行で対向するように水平方向に設置された走査（スキャン）電極及び維持（サステイン）電極を複数有し、該電極と一定の間隔分離隔され垂直方向に配置される少なくとも一つのアドレス電極を備える。走査電極及び維持電極のうち少なくとも一つの電極に走査パルス電圧が印加され垂直方向に設置されたアドレス電極にアドレス電圧が印加されると、これらの間で放電が起こる。これにより、電極間の交差地点に電気物性的な変化を与えるアドレス動作が行われる。それから、時間的に放電が起こった後、走査電極と維持電極との間に維持パルス電圧が印加されると、走査電極と維持電極の電気物性的に変化が起こった地点でのみ放電を起こす維持動作が行われる。
【０００５】
一般的に、ＰＤＰで表示しようとするセルの階調（グレースケール）表現は、人間の視覚特性を用いて、一つのフレームを画像入力ビットの加重値に対応する維持パルスを有する幾つかのサブフィールドに分け、それぞれのデータに応じて表示をオン／オフする方式で行われており、その代表的な方式がＡＤＳ（アドレスディスプレーセパレーション）方式である。
【０００６】
一方、ＰＤＰの一番の問題は消費電力が大きいということである。消費電力が大きいと、システムの電源を供給する電源部の容量が大きくなり、これにより回路の体積が大きくなってＰＤＰの長所である壁掛け型テレビとしての長所がなくなり、回路部の値段も高くなる。
【０００７】
前述の問題を解決するために、通常的にＰＤＰはＡＰＣ機能を有する。ＡＰＣとは、表示しようとする画像の輝度に応じてＰＤＰの消費電力を自動制御することをいう。つまり、ＡＰＣは明るい画像を表示する時は消費電力が増加し暗い画像を表示する時は消費電力が減少する、ＰＤＰで表示する画像入力データを検出し、高輝度の時は維持パルスの数字を減少させて表示することにより、システムの過渡な電力消耗を減少させる。
【０００８】
このように、ＰＤＰは他のディスプレイとは異なって画面上の発熱量を減らすためにＡＰＣ機能を用いて出力される映像の輝度を自動調整する方法を使うため、色処理の時、この部分に対して考慮しないと正確な色再現及び色変換が困難になる。
【特許文献１】日本特許公開平９−２８１９２７号公報
【特許文献２】韓国公開特許第２０００−０１９９６５号公報
【特許文献３】日本公開特許第２００３−０５２０５０号公報
【特許文献４】韓国公開特許第２００３−０３８０５８号公報
【発明の開示】
【発明が解決しようとする課題】
【０００９】
本発明は前述の問題点を解決するために提出されたもので、本発明の目的は、映像の輝度情報を用いて色変換ができるようにする映像の輝度情報を用いた色変換装置、該装置を用いるディスプレイ装置、及びその色変換方法を提供することにある。
【００１０】
本発明の他の目的は、入力映像のＡＰＣレベルに応じた色変換ができるようにする色変換装置、該装置を用いるＰＤＰ駆動装置、及びその色変換方法を提供することにある。
【課題を解決するための手段】
【００１１】
前述の目的を達成するための本発明の一実施形態に係る映像の輝度情報を用いた色変換装置は、入力映像の輝度別に色変換処理を行うための各種の係数情報を保存する色変換メモリと、前記色変換メモリから提供された入力映像の輝度に応じた係数情報に基づき、前記入力映像に対して色補正を行った後、補正された映像信号を出力する色変換処理部と、を含む。
【００１２】
本発明の一実施形態に係るディスプレイ装置は、前述の色変換装置を含む。
【００１３】
本ディスプレイ装置は、入力映像のＡＰＣレベル別に色変換処理を行うための各種の係数情報を保存する色変換メモリと、前記色変換メモリから提供された入力映像のＡＰＣレベルに応じた係数情報に基づき、前記入力映像に対して色補正を行った後、補正された映像信号を出力する色変換処理部と、を含む映像の輝度情報を用いた色変換装置を備えるＰＤＰ駆動装置になり得る。
【００１４】
本ＰＤＰ駆動装置は、外部から入力されたＲＧＢ映像信号を用いて負荷率を検出し、検出された負荷率に応じてＰＤＰの駆動に必要なＡＰＣレベルを決定し、決定されたＡＰＣレベルに関する情報を色変換メモリへ提供するＡＰＣレベル制御部と、前記色変換処理部から受信した色補正された映像信号に対応するアドレスデータを生成するアドレスデータ生成部と、を更に含むことができる。
【００１５】
また好ましくは、前記色変換メモリは、ＡＰＣレベル別に色変換処理を行うための各種の係数情報をルックアップテーブルの形態に保存し、この場合、前記色変換処理部は、入力デジタルＲＧＢ映像信号のガンマ特性に応じて変換された線形ＲＧＢ映像信号を出力する第１のガンマ変換部と、前記第１のガンマ変換部から入力された線形ＲＧＢ映像信号に対して所定の行列変換を行い、ＰＤＰに適合するように色変換処理された線形ＲＧＢ映像信号を生成して出力する色変換行列部と、前記色変換メモリから提供されたＡＰＣレベル別のルックアップテーブルを用いて、前記色変換行列部から入力された線形ＲＧＢ映像信号をＰＤＰパネルのガンマ特性に応じてデジタルＲＧＢ映像信号に変換させて出力する第２のガンマ変換部と、を含む。
【００１６】
より好ましくは、前記色変換行列部において行列変換に用いる所定の行列は、前記ＡＰＣレベルに応じて異なることがあり、前記入力デジタルＲＧＢ映像信号は８ビットの信号であって、０から２５５の間の整数値になり得る。
【００１７】
また、前記色変換メモリは、ガンマ特性を補正するためにルックアップテーブルの形態に保存されたＡＰＣレベルに応じた各種の係数情報及び色変換のためのＡＰＣレベルに応じた複数の行列情報を保存することができる。この場合、前記色変換処理部は、前記色変換メモリから提供された入力映像のＡＰＣレベルに応じたルックアップテーブルを用いて、入力デジタル映像信号に対してガンマ補正を行うことで、入力信号と同一のガンマ特性を有するように補正されたＰＤＰデジタル映像信号を生成・出力するガンマ補正部と、前記色変換メモリから提供された色補正のための入力映像のＡＰＣレベルに応じた所定の行列を用いて、前記ガンマ補正部から入力された入力信号のガンマ特性を有するように補正されたＰＤＰ入力デジタル映像信号に対して色補正を行う色補正行列部と、を含むことを特徴とする映像の輝度情報を用いた色変換装置を備えることができる。
【００１８】
一方、本発明の一実施形態に係る入力映像の輝度情報を用いた色変換方法は、前記入力映像の輝度別の色変換処理を行うための各種の係数情報を保存するステップと、前記係数情報に基づいて前記入力映像に対して色補正を行うステップと、を含む。
【００１９】
本発明の他の実施形態に係るＰＤＰ駆動装置の色変換方法は、（ａ）入力映像のＡＰＣレベル別に色変換処理を行うための各種係数情報を保存するステップと、（ｂ）前記係数情報に基づいて前記入力映像に対して色補正を行った後、補正された映像信号を出力するステップと、を含む。
【００２０】
好ましくは、前記補正された映像信号に対応されるアドレスデータを生成するステップを更に含むことができる。この場合、前記（ａ）段階は、外部から入力されたＲＧＢ映像信号を用いて負荷率を検出し、検出された負荷率に応じてＰＤＰの駆動に必要なＡＰＣレベルを決定して保存することができる。
【００２１】
また好ましくは、前記（ａ）ステップは、前記ＡＰＣレベル別に色変換処理を行うための各種係数情報をルックアップテーブルの形態に保存することができ、この場合、前記（ｂ）ステップは、入力デジタルＲＧＢ映像信号のガンマ特性に応じて変換された線形ＲＧＢ映像信号を生成し、前記線形ＲＧＢ映像信号に対して所定の行列変換を行ってＰＤＰに適合するように色変換処理を行い、前記色変換処理された線形ＲＧＢ映像信号を前記ルックアップテーブルを用いて前記ＰＤＰパネルのガンマ特性に対応されるデジタルＲＧＢ映像信号に変換して出力することができる。
【００２２】
一方、前記（ａ）ステップは、ガンマ特性を補正するためにルックアップテーブルの形態に保存されたＡＰＣレベルに応じた各種係数情報及び色変換のためのＡＰＣレベルに応じた複数の行列情報を保存することもできる。この場合、前記（ｂ）ステップは、前記ルックアップテーブルを用いて入力デジタル映像信号に対するガンマ補正を行い、前記複数の行列情報のうち前記入力映像のＡＰＣレベルに対応される行列を用いて、前記ガンマ補正されたデジタル映像信号に対する色補正を行うことができる。
【発明の効果】
【００２３】
本発明によると、入力映像の明るさに応じた色変換方法、即ち画質向上方法を適用させることで、色変換の効果が高くなる長所がある。
【００２４】
また、本発明によると、入力映像の明るさに応じて出力輝度を自動制御するディスプレイ装置に適用可能な色変換方法を提供する。本発明がＰＤＰに適用された場合、入力映像のＡＰＣレベルに応じた色変換を行うことで、入力映像信号の色情報を正確に再現することができ、使用者が所望する色処理を行うことができる長所がある。
【発明を実施するための最良の形態】
【００２５】
以下、添付の図面に基いて本発明の好適な実施形態を詳述する。尚、明細書の記述の便宜上、共通する構成要素は同一の図面符号を使って説明する。
【００２６】
図１は、本発明に係る映像の輝度情報を用いた色変換装置の構成を示すブロック図である。同図によると、本色変換装置１００は色変換メモリ１１０と色変換処理部１２０を含む。
【００２７】
図１において、入力映像信号処理部１０は入力映像信号の輝度情報を色変換メモリ１１０へ提供する。
【００２８】
色変換メモリ１１０には色変換処理部１２０で色変換処理を行うために必要とする各種係数情報が保存されている。色変換メモリ１１０は入力された輝度情報に対応する係数情報を色変換処理部１２０へ提供する。色変換処理部１２０は、入力映像の輝度に応じて色変換メモリ１１０より提供された色変換処理を行うための各種の係数情報に基づいて受信した各ピックセル別のデジタル映像信号に対して色補正を行った後、補正された映像信号を出力する。
【００２９】
一方、入力映像信号処理部１０は、入力映像の輝度情報を色変換処理部１２０へ提供することもできる。この場合、色変換処理部１２０は入力された輝度情報を色変換メモリ１１０へ提供し、色変換メモリ１１０は輝度情報に対応する係数情報をまた色変換処理部１２０へ提供する。
【００３０】
図２は、本発明に係る映像の輝度情報を用いた色変換装置を備えるＰＤＰ駆動装置のブロック図である。同図によると、ＰＤＰ駆動装置２８０は、ＡＰＣレベル制御部２３０、ＡＰＣレベルメモリ２４０．色変換装置２００、維持走査パルス発生部２５０、アドレスデータ生成部２６０、及びＰＤＰ２７０を含み、色変換装置２００は、色変換メモリ２１０と色変換処理部２２０を備える。ＡＰＣレベル制御部２３０は、外部から入力されたＲＧＢ映像信号を用いて負荷率を検出し、検出された負荷率に応じてＰＤＰ２７０の駆動に必要なＡＰＣレベルを決定し、決定されたＡＰＣレベルに関する情報を色変換メモリ２１０へ提供する。また、ＡＰＣレベル制御部２３０は、決定されたＡＰＣレベルに対応される維持パルスの数、各サブフィールドのアドレスパルス幅などを算出して出力する。
【００３１】
この時、負荷率に対応されるＡＰＣレベルはＡＰＣレベルメモリ２４０に基いて決定し、ＡＰＣレベルメモリ２４０には該当ＡＰＣレベルに対する維持する数も共に設定されているので、該当負荷率に対してＡＰＣレベル及び維持パルスの数が決定されることができる。
【００３２】
維持走査パルス発生部２５０は、ＡＰＣレベル制御部２３０から出力される維持パルスの数、各サブフィールドのアドレスパルス幅などを受けて対応されるサブフィールドの配列構造を生成し、生成されたサブフィールド配列に基づく維持パルス及び走査パルスを生成してＰＤＰ２７０の走査電極（Ｘ１、Ｘ２、・・・、Ｘｎ）と維持電極（Ｙ１、Ｙ２、・・・、Ｙｎ）に印加する。
【００３３】
色変換処理部２２０は、入力デジタル映像信号に対して所定の色変換アルゴリズムを用いてＡＰＣレベルに応じた色変換を行った後、色補正された映像信号を出力する。この時、所定の色変換アルゴリズムの利用時に要求されるＡＰＣレベルに応じた各種の係数情報は色変換メモリ２１０より提供される。
【００３４】
アドレスデータ生成部２６０は、色変換装置２００から出力される色補正された映像信号に対応されるアドレスデータを生成してＰＤＰ２７０のアドレス電極（Ａ１、Ａ２、・・・、Ａｍ）に印加する。
【００３５】
前述のように、走査電極（Ｘ１、Ｘ２、・・・、Ｘｎ）及び維持電極（Ｙ１、Ｙ２、・・・、Ｙｎ）のうち少なくとも一つの電極に走査パルス電圧が印加され、垂直方向に設置されたアドレス電極にアドレス電圧が印加されると、これらの間で放電が起こり、電極間の交差地点に電気物性的な変化を与えるアドレス動作が行われる。そして、時間的に放電が起こった後、走査電極と維持電極との間に維持パルス電圧が印加されると、走査電極と維持電極の電気物性的に変化が起こった地点でのみ放電を起こす維持動作が行われる。
【００３６】
本実施形態における色変換装置２００はＰＤＰ駆動装置２８０内に具現されたが、これに限定されず、ＬＣＤやＣＲＴを含む他のディスプレイ装置にも具現することができる。
【００３７】
図３は、図２に示された色変換装置の第１実施形態に係る構成を示すブロック図である。同図によると、色変換装置３００は色変換メモリ３１０及び色変換処理部３２０を含み、色変換処理部３２０は第１のガンマ変換部３３０、色変換行列部３４０、第２のガンマ変換部３５０を含む。第１実施形態では第１のガンマ変換部３３０と第２のガンマ変換部３５０を介してガンマ補正を２回行ってＰＤＰの輝度を補正する。
【００３８】
第１ガンマ変換部３３０は、入力映像信号のデジタル値と入力信号のガンマ曲線によって定義される正規化された輝度値を互いにマッピングさせてルックアップテーブルの形態で保存する。第１のガンマ変換部３３０はこのようなルックアップテーブルを保存するために非揮発性メモリ素子であるＲＯＭ（リードオンリメモリ）素子に具現されることができ、これらは各々独立的なＲＯＭ素子に具現されるか、一つのＲＯＭ素子に具現されることもできる。
【００３９】
第１のガンマ変換部３３０は、入力されたデジタルＲＧＢ映像信号（ｄＲ、ｄＧ、ｄＢ）を入力信号のガンマ特性によって出力される正規化された輝度値である線形ＲＧＢ映像信号（ＲｓＲＧＢ、ＧｓＲＧＢ、ＢｓＲＧＢ）に変換させ色変換行列部３４０に出力する。
【００４０】
ガンマ特性とは、入力デジタル映像信号と出力輝度との関係のことをいう。本実施形態において、入力デジタルＲＧＢ映像信号（ｄＲ、ｄＧ、ｄＢ）は８ビットの信号であって、０から２５５の間の整数値である。
【００４１】
第１のガンマ変換部３３０は、ルックアップテーブル（ＬＵＴ：Ｌｏｏｋ−ｕｐ  Ｔａｂｌｅ）を利用するか数式演算によってガンマ変換を行うことができ、本実施形態ではルックアップテーブルを用いた方法を仮定する。
【００４２】
より詳細には、第１のガンマ変換部３３０は、外部からｓＲＧＢ映像信号が入力されると、そのデジタル映像信号でガンマ２．２曲線が有する輝度値と同一の輝度値を生成した後、０から１の間の値に正規化して出力する。
【００４３】
第１ガンマ変換部３３０で出力される線形ＲＧＢ映像信号（ＲｓＲＧＢ、ＧｓＲＧＢ、ＢｓＲＧＢ）は入力ＲＧＢ映像信号（ｄＲ、ｄＧ、ｄＢ）によって定義されたチャネル別の出力輝度と線形関係を有し、０から１の間の値で表現される。
【００４４】
色変換行列部３４０は、第１のガンマ変換部３３０より入力された線形ＲＧＢ映像信号（ＲｓＲＧＢ、ＧｓＲＧＢ、ＢｓＲＧＢ）に対して３×３の行列変換を行い、ＰＤＰに適合するように色変換処理された線形ＲＧＢ映像信号（ＲＰＤＰ、ＧＰＤＰ、ＢＰＤＰ）を生成した後、第２のガンマ変換部３５０に出力する。ＰＤＰに適合するように色変換処理された線形ＲＧＢ映像信号（ＲＰＤＰ、ＧＰＤＰ、ＢＰＤＰ）はＲ、Ｇ、Ｂ各々の値がＰＤＰチャネル別の輝度と線形関係を有する。
この時、色変換行列部３４０で行われる行列変換は下記の（式１）の通りである。
【００４５】
【数１】
2007213008.tif 000003
（式１）において、Ｘ、Ｙ、Ｚは色の測定データを示す数値であって三刺戟値を示し、ＡＰＣレベルに応じて特定値に固定されている。但し、例外の場合、全てのＡＰＣレベルに対して同一の行列が使用されることもある。
【００４６】
ＸＰＤＰ、ＹＰＤＰ、ＺＰＤＰはＰＤＰで測定された三刺戟値、ＸＤ６５、ＹＤ６５、ＺＤ６５はｓＲＧＢ標準色空間で定義された三刺戟値を意味する。また、Ｘｒ、Ｙｒ、Ｚｒは最大レッド（ｒｅｄ）の三刺戟値、即ち最も赤色の測定値を意味し、Ｘｇ、Ｙｇ、Ｚｇは最大グリーン（ｇｒｅｅｎ）の三刺戟値、即ち最も緑色の測定値を意味し、Ｘｂ、Ｙｂ、Ｚｂは最大ブルー（ｂｌｕｅ）の三刺戟値、即ち最も青色の測定値を意味する。ここで、最も赤色とは（ｄＲ、ｄＧ、ｄＢ）＝（２５５、０、０）、最も緑色とは（ｄＲ、ｄＧ、ｄＢ）＝（０、２５５、０）、最も青色とは（ｄＲ、ｄＧ、ｄＢ）＝（０、０、２５５）の色相のことをいう。
【００４７】
第２のガンマ変換部３５０は、色変換メモリ３１０にＡＰＣレベル別に保存されたルックアップテーブルを用いて、色変換行列部３４０より入力されたＰＤＰ線形ＲＧＢ映像信号（ＲＰＤＰ、ＧＰＤＰ、ＢＰＤＰ）をＰＤＰパネルのガンマ特性に合わせて変化させ、デジタルＲＧＢ映像信号（ｄＲ’、ｄＧ’、ｄＢ’）を出力する。第２のガンマ変換部３５０から最終的に出力される映像信号は実際にＰＤＰに伝送されるデジタル値である。
【００４８】
図４は、図２に示された色変換装置の第２実施形態に係る構成を示すブロック図である。同図によると、色変換装置５００は色変換メモリ５１０と色変換処理部５２０を含み、色変換処理部５２０はガンマ補正部５４０及び色補正行列部５５０を含む。
【００４９】
ガンマ補正部５４０は、入力デジタル映像信号で定義された輝度値と同一の輝度値を有するＰＤＰデジタル映像信号を生成した後、色変換行列部５５０に出力する。この時、ガンマ補正部５４０は色変換メモリ５１０に各ＡＰＣレベル別に保存されたルックアップテーブルを用いてガンマ補正を行う。
【００５０】
図５はその例であって、ｓＲＧＢ入力デジタル映像信号のグレーレベルが１２８である場合、このグレーレベルに対するガンマ２．２曲線が有する輝度値と同一の輝度値を有する出力映像のグレーレベルは１３０である。
【００５１】
色補正行列部５５０は、色変換メモリ５１０に保存された色補正Ｎ×Ｍ行列を用いてＰＤＰのガンマ特性を有するデジタル映像信号に対して色補正を行うことで、実際のＰＤＰに送られるデジタル値に変換する。色補正Ｎ×Ｍ行列の大きさは任意で定められ、ＡＰＣレベルに応じて互いに異なる行列の適用が必要である。以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【００５２】
【図１】本発明に係る映像の輝度情報を用いた色変換装置の構成を示すブロック図である。
【図２】本発明に係る映像の輝度情報を用いた色変換装置を備えるＰＤＰ駆動装置のブロック図である。
【図３】図２に示された色変換装置の第１実施形態に係る構成を示すブロック図である。
【図４】図２に示された色変換装置の第２実施形態に係る構成を示すブロック図である。
【図５】図４に示されたガンマ補正部においてガンマ曲線の補正過程を説明するための図である。
【符号の説明】
【００５３】
１０      入力映像信号処理部
２３０    ＡＰＣレベル制御部
２４０    ＡＰＣレベルメモリ
２５０    維持走査パルス発生部
２６０    アドレスデータ生成部
２７０    プラズマディスプレイパネル
２８０    ＰＤＰ駆動装置
３３０    第１のガンマ変換部
３４０    色変換行列部
３５０    第２のガンマ変換部
５４０    ガンマ補正部
５５０    色補正行列部
１００、２００、３００、５００  色変換装置
１１０、２１０、３１０、５１０  色変換メモリ
１２０、２２０、３２０、５２０  色変換処理部
【図１】
2007213008.tif 000004
【図２】
2007213008.tif 000005
【図３】
2007213008.tif 000006
【図４】
2007213008.tif 000007
【図５】
2007213008.tif 000008